(57)【特許請求の範囲】
【請求項１】
手摺り部を備えた左右一対の側枠が洋式便器の左右両側の位置に配置され、同洋式便器の前面側に配置された連結桟と、同洋式便器の両側面部を挟み付けて固定する固定手段とを備える洋式便器用手摺りにおいて、
前記固定手段は、洋式便器の側面部に対して軸孔が略直交する配置に固定された支持部と、前記支持部の軸孔内へ軸方向への移動は可能であるが、回転は不可の構成で挿入された１本のねじ軸と、前記のねじ軸へねじ込まれて前記支持部において洋式便器と対向する端面へ当接する配置とされたナットと、
前記ねじ軸の先端部に洋式便器の側面部へ押し付け可能な配置で取り付けられた押当て部とで構成され、
前記ナットを正転させることによってねじ軸を前進させ押当て部を洋式便器の側面部へ押し付けて洋式便器用手摺りの位置を固定することができ、同ナットを逆転させて緩めることにより洋式便器から洋式便器用手摺りを撤去可能に構成されていることを特徴とする、洋式便器用手摺り。
【請求項２】
前記連結桟は、各側枠との取合部に設けた固定部材により水平軸回りに回転可能な構成で支持されていることを特徴とする、請求項１に記載した洋式便器用手摺り。
【請求項３】
固定部材は、連結桟を水平軸回りに回転可能に支持する凹部を内側面に設けた挟持部材で支持され、前記挟持部材は各々の共通位置に設けたねじ孔へねじ込んだボルトを締め込むことにより強固に固定され、同ボルトを緩めることにより、各側枠との取合部を中心に水平軸回りに回転可能に構成されていることを特徴とする、請求項１又は２に記載した洋式便器用手摺り。
【請求項４】
固定手段の押当て部は、ねじ軸部を中心に上下方向へ回転変位させることが可能とされ、便器への押し付け角度と位置を調整できる構成であることを特徴とする、請求項１〜３のいずれか一に記載した洋式便器用手摺り。
【発明の詳細な説明】
【技術分野】
【０００１】
この発明は、洋式便器へ後付けで設置する据え置き型の便器用手摺りの技術分野に属し、更に言えば、大きさや形状が異なる様々な便器へ簡単に取り付け設置することができ、固定状態の安定性が高く使用者の信頼性と安全性を高めた便器用手摺りに関する。
【背景技術】
【０００２】
一般に、高齢者や体の不自由な人は、一人で洋式便器の立ち座り動作を行うことが困難な場合が多い。そのため、高齢者や体の不自由な人が、介助者の手を借りずに一人で洋式便器の立ち座り動作ができる補助器具として、洋式便器へ後付けで設置する据え置き型の便器用手摺りが、開発されている。
従来の便器用手摺りの基本構造は、概して、上端に手摺り部を備えた左右一対の側枠が、洋式便器の左右両側位置に設置され、前記の側枠が便器の前面側に配置された連結桟で連結されており、前記側枠の後部側に取り付けられた固定手段を用いて洋式便器へ固定する構成である。
特に、使用者が高齢者や体の不自由な人であることを考えると、一部に集中して荷重が掛かって、使用者が使用中に誤って転倒することがないように、高い安全性と安定性が要求される。よって、使用中に不用意に位置ずれが起きたり、或いはガタつきが起きたりしないように、洋式便器の外面へしっかりと強固に固定して、使用上の安全性を確保しなければならない。更に、主に家庭や病院等のトイレに設置する場合が想定されるので、専門技術や工具等が不要で、誰でも簡単に取り付け又は取外しができる構造が望まれており、例えば下記特許文献１〜３に示したように種々開発され、既に実用に供されている。
【０００３】
下記特許文献１に開示された手摺付洋風便器は、洋式便器の左右両側位置に左右一対で設置された側枠が金属管を矩形に屈曲させた形状であり、前記各側枠の下方には板状又は管状の横桟が取り付けられ、該横桟に設けられた複数の固定棒取付用ねじ孔にそれぞれ固定棒がねじ込まれており、該固定棒の先端を洋式便器の側面へ強く押圧させることで、本体を便器に固定させる。
【０００４】
下記特許文献２に開示された便器用手摺りは、固定部材が手摺本体（側枠）の左右両側から洋式便器の幅方向の中央部に向かい斜め上方に立ち上がって、洋式便器の左右両側の湾曲した上部外表面を斜め下方から押圧する一対の固定アームを備えた構成である。
左右の側枠を連結する連結部材は、洋式便器の前面から両側部に亘ってその周囲を取り囲むように床面に載置させるＵ字部材と、該Ｕ字部材と側枠とを相互に連結するストレート部材とで構成されている。
つまり、前記連結部材のＵ字部材で洋式便器の前面周囲を抱え込んで便器用手摺りを洋式便器へ嵌め込んだ状態で、左右の固定アームを便器の側面へ斜め上方に押圧させて固定する構成である。
【０００５】
下記特許文献３に開示された便器用手摺りは、洋式便器の左右両側位置に左右一対で設置された側枠、又は該左右一対の側枠を連結する連結枠へ、左右一対で成る固定アームが便器の後方に向かって回動可能に差し出されており、前記連結枠には便器の前面部に当接する当接部が設けられた構成である。
前記固定アームを内側へ回転させて、洋式便器の左右側面部を固定アームで左右後寄りから抱え込むとともに、連結枠の当接部を便器の前面部に当接させることによって、左右の固定アームと連結枠の当接部による抱え込み、三点支持で便器用手摺りを洋式便器に安定させた状態で固定できる。
【先行技術文献】
【特許文献】
【０００６】
【特許文献１】実開平５−２３９９７号公報
【特許文献２】特許第２９８１１８２号公報
【特許文献３】特許第４４９１３７４号公報
【発明の概要】
【発明が解決しようとする課題】
【０００７】
上記特許文献１に開示された便器用手摺りは、細長い固定棒の先端を洋式便器の湾曲側面に押し当てる構成なので、押付力が逃げ易い。また、しっかりと強固な固定が難しく、安定性に欠けるため、使用中に不用意に位置ずれが起きたり、或いはガタつきが起きる懸念が大きい。また、人が屈んだ姿勢のままで、固定棒取付用ねじ孔へねじ込まれた長ねじで成る複数本の固定棒を比較的長い間隔分を回し続けて便器へ当てがい、更にそれから便器に向かって押圧させなければならないため、固定作業が非常に面倒で至極不便である。
【０００８】
その点、上記特許文献２に開示された便器用手摺りは、連結部材のＵ字部材で洋式便器の前面周囲を抱え込み、更に左右の斜め上方に立ち上げられた固定アームを便器のせり出す湾曲側面に押圧させて固定する構成なので、上記特許文献１の便器用手摺りの構成に比べるとそれなりの固定作用が期待できる。
しかし、せり出す湾曲側面がない便器には固定が行えない。また、左右一対で成るアームの二点支持で固定する構成なので、手摺り本体に回転方向の力が加わった場合にはその固定が外れるおそれがあり、安全且つ安心して使用できる構造とは言えない。
【０００９】
上記特許文献３に開示された便器用手摺りは、左右の固定アームと連結枠とで洋式便器を抱え込み三点支持により固定する構成なので、しっかりと強固に固定させることができ、安全に安心して使用できると認められる。
しかし、前記便器用手摺りは、固定アームを水平方向へ回動して固定する構成であって、固定作業の作業性は良い。しかし、他の各構成要素は自在に変化させる構成ではないため、大きさ、形状の異なる様々な洋式便器への適用範囲が狭く、また使用者の使い勝手の良い位置へ微調整可能に設置できる構成でもない。
【００１０】
また、上記特許文献１〜３の便器用手摺りを、水捌けを良くするために緩い勾配のついた床面に設置された洋式便器、或いはタイル張りの床面に設置された洋式便器へ取り付ける場合には、便器用手摺りを床に置いてから側枠のガタツキを防止するために、同側枠の底部に付くアジャスター部材の高さを調整する作業が必要であり、一作業増えて手間がかかる。
更に、前記手摺りの設置位置は、便器の前後方向や左右方向に微調整できないので、例えば洗浄機付きの洋式便器へ設置しようとしたときに、同洗浄機の操作盤に手摺りが干渉して洗浄機の操作性を阻害する場合も考えられる。
【００１１】
本発明の目的は、洋式便器へしっかりと強固に取り付けて固定することができ、固定作業が簡単で作業性が良く、位置ズレやガタつきを防止でき、高齢者や体の不自由な人が安全に、安心して使用できる構成の便器用手摺りを提供することである。
本発明の次の目的は、大きさや形状の異なる様々な洋式便器に対応でき、しっかりと強固に取り付けて固定し設置できる便器用手摺りを提供することである。
本発明の更なる目的は、熟練した技術や知識、あるいは専門工具を必要とせず、誰でも簡単に且つ迅速に洋式便器へ取り付けることができ、更に設置後に取り付け位置の調整を簡単に行うことができる、便器用手摺りを提供することである。
【課題を解決するための手段】
【００１３】
上記従来技術の課題を解決するための手段として、請求項１に記載した発明に係る洋式便器用手摺りは、
手摺り部を備えた左右一対の側枠が洋式便器の左右両側の位置に配置され、同洋式便器の前面側に配置された連結桟と、洋式便器２の両側面へ固定する固定手段５とを備える洋式便器用手摺りにおいて、
前記固定手段５は、洋式便器２の側面部に対して軸孔５０ａを略直交する配置で側枠３へ固定された支持部５０と、前記支持部５０の軸孔５０ａ内へ軸方向への移動は可能であるが、回転は不可の構成で挿入された１本のねじ軸５１と、前記ねじ軸５１へねじ込まれて前記支持部５０における洋式便器２の側面部と相対向する端面へ当接する配置とされたナット５２と、
前記ねじ軸５１の先端部に洋式便器２の側面部へ押し付け可能な配置で取り付けられた押当て部５３とで構成され、
前記ナット５２を正転させることによってねじ軸５１を前進させ押当て部５３を洋式便器２の側面部へ押し付けて洋式便器用手摺りの位置を固定することができ、同ナット５２を逆転させて緩めることで洋式便器２から洋式便器用手摺りを撤去可能に構成されていることを特徴とする。
【００１４】
請求項２に記載した発明は、請求項１に記載した洋式便器用手摺りにおいて、
連結桟４は、各側枠３との取合部を中心に水平軸回りに回転可能な構成で支持されていることを特徴とする。
【００１５】
請求項３に記載した発明は、請求項１又は２に記載した洋式便器用手摺りにおいて、
固定部材は、連結桟を水平軸回りに回転可能に支持する凹部を内側面に設けた挟持部材で支持され、前記挟持部材は各々の共通位置に設けたネジ孔へねじ込んだボルトを締め込むことにより強固に固定され、同ボルトを緩めることにより、各側枠との取り合い部を中心に水平軸回りに回転可能に構成されていることを特徴とする。
【００１６】
請求項４に記載した発明は、請求項１〜３のいずれか一に記載した洋式便器用手摺りにおいて、
固定手段５の押当て部５３は、ねじ軸部５１を中心に上下方向へ回転変位させることが可能とされ、便器２への押し付け角度と位置を調整できる構成であることを特徴とする。
【発明の効果】
【００１７】
請求項１〜４に記載した発明に係る様式便器用手摺りによれば、
固定手段５を構成する左右の押当て部５３、５３は、各々１本のねじ軸部５１で支持された構成であり、このねじ軸５１を支持する支持部５０の軸孔５０ａへ、洋式便器２の側面部に対して直交する配置で軸方向へ移動可能なねじ軸５１が、ナット５０を回転して前進され、先端の押当て部５３を洋式便器２の側面部に押し付けて固定する構成であるから、操作が簡単である。そして、前記ねじ軸５１の押し付け力の反作用力は、丁度連結桟４の作用と釣り合いが保たれるから、全体のバランスが良く、安定して平衡が保たれるので、使用時の安定性、安全性に優れた洋式便器用手摺りを提供できる。
【００１８】
とりわけ請求項１に記載した発明に係る便器用手摺りによれば、固定手段が、最初からナット５２の回転に伴うねじ送り作用でねじ軸部５１を送り込むのではなく、固定バー５のねじ軸部５１の端部を支持部５０の軸孔５０ａへ予め差し込んで置き、押当て部５３が便器２の表面に当接する位置まで一気にねじ軸部５１を摺動させてから、ナット５２を支持部５０の端部へ突き当てて回転させることによりねじ軸部５１を送り込む。すると、左右の押当て部５３、５３が洋式便器２の側面へ押し付けられ、連結桟４と併せて、左右の押当て部５３、５３で便器２を挟み付けて側枠３、３を便器２へ固定する構成なので、固定作業の作業性が良い。その上、便器２の前面及び左右側面の３点をしっかりと強固に支持した状態に固定できる。
前記押当て部５３は、ナット５２を回転させてねじ軸部５１を伸縮させることで、簡単に便器２の側面へ押し付けたり、その押し付け状態を解除することができるので、使い勝手に優れている。
請求項３に記載した発明に係る便器用手摺りによれば、固定手段５の支持部５０は、側枠３に対し上下方向への変位が可能に取り付けられており、固定手段５の押当て部５３を便器２へ押し付ける高さ位置を調整可能に構成されているから、様々な大きさや形状の洋式便器２、或いは勾配の付いた床面に設置された便器２等でも、しっかりと強固に取り付けて固定し設置できる。
請求項４に記載した発明に係る便器用手摺りによれば、固定手段５の押当て部５３は、ねじ軸部５１を中心に上下方向へ回転変位させることが可能とされ、便器２への押し付け位置を調整できる構成なので、上下方向にも押付力を伝達でき、様々な大きさや形状の便器へしっかりと強固に取り付けて固定できる。
したがって、本発明に係る便器用手摺りは、位置ズレやガタつきを防止し、高齢者や体の不自由な人でも安全に、安心して使用できるし、熟練した技術や知識、あるいは専門工具を必要とせず、誰でも簡単に且つ迅速に取り付け・取外し作業を行うことができ、更に設置後に取り付け位置の調整を自在に容易に行うことが可能である。
【図面の簡単な説明】
【００１９】
【図１】便器用手摺りの全体を示した斜視図である。
【図２】便器用手摺りの特徴を分かり易く示した斜視図である。
【図３】便器用手摺りを後部側から示した分解斜視図である。
【図４】便器用手摺りを洋式便器へ取り付けた状態を示した側面図である。
【図５】側枠へ取り付けた支持部とねじ軸部の関係を一部破断して示した拡大斜視図である。
【図６】側枠と支持部との取り付け状態を示した水平断面図である。
【図７】ねじ軸部と押当て部を分解して示した説明図である。
【図８】支持部と角鋼で構成したねじ軸部の関係を示した説明図である。
【図９】支持部と丸鋼で構成したねじ軸部の関係を示した説明図である。
【図１０】便器用手摺りを洋式便器へ取り付けた状態を示した平面図である。
【発明を実施するための形態】
【００２０】
本発明に係る便器用手摺りは、洋式便器２の両側面へ固定する固定手段５として、洋式便器２の側面部に対して軸孔５０ａを略直交する配置に固定された支持部５０と、前記支持部５０の軸孔５０ａ内へ、軸方向への移動は可能であるが、回転は不可の構成で１本のねじ軸５１が挿入され、前記のねじ軸５１へねじ込まれたナット５２が前記支持部５０における洋式便器２の側面と対向する端面へ当接する配置とされ、
前記ねじ軸５１の先端部に洋式便器２の側面部へ押し付け可能な配置で取付けられた押し当て部５３とで構成され、
前記ナット５２を正転させることによってねじ軸５１を前進させ、押し当て部５３を洋式便器２の側面部へ押しつけて洋式便器用手摺りの位置を固定することができ、同ナット５２を逆転させて緩めることで洋式便器２から洋式便器用手摺りを撤去可能に構成されている。
【実施例１】
【００２１】
以下に、本発明に係る洋式便器用手摺りを図示した実施例に基づいて説明する。
図１〜１０に示した本発明に係る洋式便器用手摺りは、洋式便器２へ後付けで設置する据え置き型の洋式便器用手摺り１であり、高齢者や体の不自由な人が、介助者等の手を借りずに一人で洋式便器２の立ち座り動作ができるように、主に家庭や病院等のトイレの洋式便器２に設置される補助器具である。
前記洋式便器用手摺り１は、図１に示したように、手摺り部３２を備えた左右一対の側枠３、３が洋式便器２の左右両側位置に設置され、該左右の側枠３、３は洋式便器２の前面側に配置された連結桟４で相互に連結され、前記の各側枠３には同側枠３を洋式便器２（以下、単に便器と略す場合がある。）の後部へ固定する固定手段５が設けられた構成である。
【００２２】
上記の各側枠３は、図１及び２に示したように、トイレの床面に接する基部３０から上方へ垂直に立ち上がる管状側部３１の中空部内へ、略Ｔ字形状を成す手摺り部３２の垂直部３２ａが、上下方向へスライド可能に挿入された構成である。前記手摺り部３２は、垂直部３２ａを上下方向へスライド移動させて、使用者の使い勝手の良い高さ位置に調整した後、管状側部３１の後面側に設けられたノブボルト３１ａによってその位置がしっかりと固定される。因みに、前記手摺り部３２の垂直部３２ａの前面側には高さ目盛りが表記されており、使い易さを考慮している。
前記各側枠３、３の管状側部３１の前面側には、上記連結桟４の端部を挟持して固定する固定部材６が設けられている。この固定部材６は、二つの挟持部６ａ、６ｂ（図４及び５を参照）で構成され、二つの挟持部６ａ、６ｂの凹部で連結桟４の端部を挟み付け、前記ノブボルト６０を締め付けることにより、前記連結桟４が側枠３、３へしっかりと強固に固定される。
前記連結桟４で連結された左右の側枠３、３は、図２に示したように、固定部材６のノブボルト６０の締結力を緩めて固定部材６の狭持力を解除することで、前記連結桟４を回転すること及び軸方向へ変位させることが可能である。因みに、前記連結桟４には目盛りが表記されており、各側枠３、３は前記目盛りに基づいて左右の変化量を一致させて変位させることができる。
よって、使用者の体格や使用状況、或いは洋式便器２の形状、大きさに合わせて左右の側枠３、３の横幅を左右バランス良く適宜に調整することでき、使い勝手に優れている。
【００２３】
前記連結桟４は、洋式便器２の前面形状に沿うように中央部が前方に突き出る湾曲状に形成されており、図４に示したように、前記固定部材６を構成する挟持部６ａ、６ｂの狭持力を解除することで、各側枠３、３との取合部を中心に水平軸回りに回転可能となり、洋式便器２への当接位置を自在に変更し又は選択することができる。つまり、連結桟４が洋式便器２へ当接する位置によって、手摺り部３２を便器２の前後方向において自在に変位させることができるから、使用者は使い勝手の良い位置に前記手摺り部３２を配置することができる。
また、見方を変えれば、側枠３が連結桟４へ回転可能に連結している関係になるから、前記固定部材６を構成する挟持部６ａ、６ｂの挟持力を解除することで、左右別個に前記左右の側枠３、３の基部３０を床面それぞれの勾配に合わせた設置が可能であり、アジャスター部材を用いることなく、ガタツキを防止して便器用手摺り１をしっかりと固定し設置することができる。もちろん、アジャスター部材を用いれば、更に安定した設置が可能となることは言うまでもない。
【００２４】
上記固定手段５は、図３に示したように側枠３、３に取り付けれた、角軸孔５０ａを有する筒状の支持部５０と、該支持部５０の角軸孔５０ａ内へ、先端部が洋式便器２の側面部に向かって略直交する向きに挿入された角軸によるねじ軸部５１（図１０を参照）と、前記ねじ軸部５１へ回転可能にねじ込まれたナット５２と、前記ねじ軸部５１の先端部に、洋式便器２の側面部へ当接して後方側へ向かって延びる配置で設けられた押当て部５３とで略Ｌ字形に構成されている。
【００２５】
上記支持部５０は、図３〜図９に示したように、外周を覆うカバー部材５０ｃと、該カバー部材５０ｃに取り付けられたノブボルト５０ｂ（特には図３を参照）を備えている。また、図５に示したように、前記支持部５０の角軸孔５０ａ内には、樹脂製のスリーブ５０ｄが設けられている。
一方、前記支持部５０が取り付けられた側枠３の管状側部３１には、図３及び図６に示したように、後面側に上下方向に沿って横断面形状が略Ｃ字形の溝部３３が形成されており、該溝部３３内へスケーター３４が上下方向へスライド可能に嵌め込まれている。前記スケーター３４には、前記支持部５０のノブボルト５０ｂのねじ軸をねじ込むねじ孔３４ａが設けられている（図６を参照）。図５及び図６に示したように、カバー部材５０ｃをスケーター３４へ被せ、該スケーター３４のねじ孔３４ａへノブボルト５０ｂのねじ軸をねじ込むことで、支持部５０が側枠３の管状側部３１における、前記固定部材６の設置位置とは反対側の側面部へ取り付けられている。
即ち、前記支持部５０は、ノブボルト５０ｂを回転させて締め付けるとスケーター３４が溝部３３にぴったり引き寄せられて摩擦力が生じるし、押当て部５３が洋式便器２へ押圧されると、その反力として支持部５０にこじる力を生じさせ、その位置でしっかりと固定される。そして、前記ノブボルト５０ｂを逆回転させて緩めると支持部５０と側枠３との締結状態が解除されるので、支持部５０をスケーター３４と共に管状側部３１の溝部３３内を上下移動させることできる。
したがって、前記支持部５０は、側枠３に対し上下方向への変位が可能なので、洋式便器２の大きさや形状に合わせて、上記固定手段５の押当て部５３を洋式便器２へ押し付ける高さ位置を自在に調整することができる。
【００２６】
上記支持部５０の角軸孔５０ａへ挿入されるねじ軸部５１は、図５及び７に示したように、角軸孔５０ａ内で周方向へ回転しないように、角鋼で構成されており、各角部にはナット５２が回転移動するねじが切られている。
【００２７】
上記左右の固定手段５の押当て部５３は、図１０に示した洋式便器２を平面方向から見た場合、便器２の湾曲側面に沿って同便器２を抱え込むようにハの字形状に構成されており、図４に示したように、ねじ軸部５１を中心に上下方向へ回転変位させることが可能とされ、洋式便器２を抱え込みし易い当て位置に調整できる。
前記押当て部５３を上下方向へ回転可能とする構成の具体例として、図７に示した実施例では、前記押当て部５３がねじ軸部５１へボルト５１ａで接合されており、該ボルト５１ａの締結力を緩めることにより、前記押当て部５３を上下方向へ回転変位させることが可能となる。
或いは、図８に示した実施例では、側枠３に設けた支持部５０に、基本形が角軸孔５０ａで、その内周面に、ねじ軸部５１を一定のピッチで回転させたに等しい凹凸部５０ａ’が形成され、そのいずれかの凹凸部５０ａ’へねじ軸部５１の先端を合致させて嵌めることにより、押当て部５３を上下方向への回転変位さることでも良い。
なお、詳細に図示することは省略したが、前記ねじ軸部５１の先端の形状をスプライン軸とし、支持部５０の角軸孔５０ａを前記スプライン軸が嵌め込み可能なスプライン孔とした構成で実施することもできる。前記ねじ軸部５１を周方向に回転させて、スプライン軸で成る先端部を支持部５０のスプライン孔へ嵌め込んで合致させることで、押当て部５３を上下方向への回転変位させることもできる。
【００２８】
図９に示したように、上記支持部５０の軸孔５０ａが丸孔であり、ねじ軸部５１が丸鋼で構成されている場合には、該ねじ軸部５１の側面に軸方向の溝部５１ｂを設け、更に前記支持部５０の外周面に軸孔５０ａに向かって貫通するピン孔５０ｅ…を複数個設けた構成とし、前記支持部５０の軸孔５０ａへ通したねじ軸部５１の溝部５１ｂへ向かって、支持部５０のピン孔５０ｅからピン５１ｃを通すことにより、ねじ軸部５１が軸孔５０ａ内で周方向に回転しない構成としても良い。
【００２９】
したがって、出荷時の設置位置で固定するのでは不安がある便器の場合には、押当て部５３の洋式便器２への当て位置を調整することにより、上下方向にも押付力を分散できるので、大きさや形状の異なる様々な洋式便器、或いは勾配のある床面に設置された洋式便器であっても、しっかりと強固に取り付け固定し設置できる。
【００３０】
便器用手摺り１を洋式便器２へ設置するには、まず、洋式便器２の形状、大きさに合わせて左右の側枠３、３の横幅の調整及び連結桟４の長さの調整をしながら、床への接地状態を左右にバランス良く適宜調整し、前記支持部５０を側枠３に対し上下方向へ変位させて丁度良い位置に設定した後（通常は出荷時の初期設定位置で問題ない。）、固定手段５を操作して位置を固定する。その固定手順は、支持部５０の角軸孔５０ａ内へ、ねじ軸部５１を洋式便器２の位置側から外側方向に向かって挿入し、押当て部５３が便器２の側面部へ当接する位置まで軸孔５０ａ内を前進させる。その後、上記ねじ軸部５１上のナット５２を支持部５０の端面へ向かってねじ込み、同支持部５０の端部へ突き当てる。更に前記ナット５２を強く回転させて締め付けることにより、ねじ軸部５１を洋式便器２の側面へ向かって強く送り出す。かくすると図１０に示したように、前記押当て部５３が洋式便器２の側面部へ強く押し付けられて、両側の側枠３、３が洋式便器２の左右位置に固定される。
このときねじ軸部５１が洋式便器２から受ける反作用としての圧縮軸力は、ナット５２から支持部５０を通じて側枠３３へ伝達されるが、左右の側枠３３は、固定部材６で連結桟４を強く固定しているので力の平衡が保たれ、便器用手摺り１の安定した設置状態を実現できる。
なお、上記設置、固定作業の終了後に、支持部５０とナット５２とが突き当たる両端部同士を覆うキャップ（図示は省略）を嵌めておくと、ナット５２を前記の回転方向とは逆方向に回転させた場合、ねじ軸部５１が支持部５０の角軸孔５０ａ内へ戻され、押当て部５３の押し付け状態が解除される。
【００３１】
したがって、本発明に係る便器用手摺り１は、図１０に示したように、連結桟４と、左右の押当て部５３、５３で洋式便器２を挟み付けて側枠３、３を洋式便器２へ固定する構成なので、洋式便器２の前面及び左右側面の３点をしっかりと強固に支持した状態に固定でき、位置ズレやガタつきを防止し、高齢者や体の不自由な人でも安全に、安心して使用できる。
また、熟練した技術や知識、あるいは専門工具を必要とせず、誰でも簡単に且つ迅速に取り付け・取り外し作業を行うことができ、更に設置後に取り付け位置の調整を自在に容易に行うことができる。
【００３２】
上記左右の側枠３、３、連結桟４、及び左右の固定バー５、５の各構成物品は、それぞれ取り外し可能なので、便器用手摺り１は分解して保管することができ、大きな保管場所を必要としない。また、前記側枠３及び固定バー５は左右対称で構成されているので、左側用、右側用の区別がなくなって構成する部品点数が少なくて済むし、在庫管理の手間が少なくなって保管もし易い。更に、梱包した際に、梱包状態の容積も小さくできるので、経済的である。
【００３３】
なお、本発明による便器用手摺りは、上記実施例の限りではない。
詳細に図示することは省略したが、手摺り部３２を備えた左右一対の側枠３、３が洋式便器２の左右両側位置に設置され、該左右の側枠３、３は洋式便器２の前面側に配置された連結桟４で連結された便器用手摺り１において、上述した固定手段５を設けることなく、前記連結桟４を、各側枠３、３との取合部を中心に水平軸回りに回転可能とした構成で実施することもできる（請求項１記載の発明）。
【００３４】
また、その他の実施形態として、上述した連結桟４が水平軸回りに回転しない従来の構成とし、固定手段５のみを前記側枠３に取り付けられた、角軸孔５０ａを有する支持部５０と、前記支持部５０の角軸孔５０ａ内へ先端部が挿入され他端は便器２に向かって突き出す配置とされるねじ軸部５１と、前記ねじ軸部５１へ回転可能にねじ込まれたナット５２と、前記ねじ軸部５１の他端側に便器２後方へ向かって延びる配置で取り付けた押当て部５３とで略Ｌ字形に構成された固定バーとした構成で実施することもできる（請求項２記載の発明）。
【００３５】
以上に本発明を図示した実施例に基づいて説明したが、本発明は上記実施例に限定されるものではない。本発明の要旨、及び技術思想を逸脱しない範囲で、当業者が必要に応じて行う設計変更や応用、変形として種々な態様で実施できることを、ここに念のため申し添える。
【符号の説明】
【００３６】
１      洋式便器用手摺り
２      洋式便器
３      側枠
３２    手摺り部
４      連結桟
５      固定バー（固定手段）
５０    支持部
５１    ねじ軸部
５２    ナット
５３    押当て部
【図１】
0006067518.tif 000002
【図２】
0006067518.tif 000003
【図３】
0006067518.tif 000004
【図４】
0006067518.tif 000005
【図５】
0006067518.tif 000006
【図６】
0006067518.tif 000007
【図７】
0006067518.tif 000008
【図８】
0006067518.tif 000009
【図９】
0006067518.tif 000010
【図１０】
0006067518.tif 000011